(57)【要約】【課題】２本の直線状ラック１、１を任意の曲がり接続角度で接続しても対応できる曲がり接続用ラックカバーを提供する。【解決手段】第１、第２の水平板４１ａ、４１ｂと、前記第１、第２の水平板の一辺に中間部が前記水平板より高くなった第１、第２の屋根形支持体４２ａ、４２ｂとを有する第１、第２のカバー構成体４０ａ、４０ｂを用いて、第１、第２の連結部において回動自在に連結して第１、第２の直線状ラック１、１の接続端部に被せ、第１、第２の屋根形支持体４２ａ、４２ｂに直線状屋根形ラックカバーの端部を支持させた状態で被せる。【選択図】図４
2007205558.tif 000002
【特許請求の範囲】
【請求項１】
２つの直線状ラックを水平面において曲がり接続した接続部に取付けられる曲がり接続部用ラックカバーであって、
第１、第２の水平板と、前記第１、第２の水平板の一辺に中間部が前記水平板より高くなった第１、第２の屋根形支持体とを有する第１、第２のカバー構成体から成り、
前記第１、第２のカバー構成体が、前記第１、第２の水平板の前記屋根形支持体と反対側の辺の端部において回動自在に連結される第１、第２の連結部を備え、
前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、
一方の直線状ラックに直線状屋根形ラックカバーを前記第１のカバー構成体の前記第１の屋根形支持体に直線状屋根形ラックカバーの端部を支持させた状態で被せ、他方の直線状ラックに直線状屋根形ラックカバーを前記第２のカバー構成体の前記第２の屋根形支持体に直線状屋根形ラックカバーの端部を支持させた状態で被せるようにしたことを特徴とする曲がり接続部用ラックカバー。
【請求項２】
２つの直線状ラックを水平面において曲がり接続した接続部に取付けられる曲がり接続部用ラックカバーであって、
第１、第２の水平板と、前記第１、第２の水平板の一辺に設けられた中間部が前記水平板より高くなった第１、第２の屋根形カバーとを有する第１、第２のカバー構成体から成り、
前記第１、第２のカバー構成体が、前記第１、第２の水平板の前記屋根形カバーと反対側の辺の端部において回動自在に連結される第１、第２の連結部を備え、
前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、
一方の直線状ラックに直線状屋根形ラックカバーを前記第１のカバー構成体の前記第１の屋根形カバーの少なくとも一部に直線状屋根形ラックカバーの端部を重なり合わせた状態で被せ、他方の直線状ラックに直線状屋根形ラックカバーを前記第２のカバー構成体の前記第２の屋根形カバーの少なくとも一部に直線状屋根形ラックカバーの端部を重なり合わせた状態で被せるようにしたことを特徴とする曲がり接続部用ラックカバー。
【発明の詳細な説明】
【技術分野】
【０００１】
本発明は水平面において任意の角度で曲がり接続した２本の直線状ラックの曲がり接続部分に取付けられるようにしたラックカバーに関する。
【背景技術】
【０００２】
例えば、ケーブル、配管、冷媒管などの長尺物を、建造物などの内部あるいは屋上、屋外などに配線・配管するための直線状ラック１は、図１０に示すように、２本の互いに平行な親桁２、２間を複数の一定間隔の子桁３、３、…で連結して構成されている。
直線状ラック１は端部同士を継ぎ金具で長手方向に次々と接続して設置し、直線状ラック１の子桁３、３、…の上にケーブル、配管、冷媒管などの長尺物（図示せず）を配線・配管する。
【０００３】
直線状ラック１内に埃がはいらないように、また、特に直線状ラック１が屋上や屋外に設置されている場合、風雨の影響を受けないように、図１０に示すように直線状屋根形ラックカバー１０を直線状ラック１の上面に被せて、親桁２の下縁に係止したカバー止め金具１１とボルト１２によって固定している。
【０００４】
ところで２本の直線状ラック１、１の接続方向は直線方向とは限らず、障害物の存在などの原因で、施工現場の状況に応じて適する角度で水平面を曲がり接続する必要がある。
このように２本の直線状ラック１、１を水平面において角度をつけて曲がり接続する場合、円弧状に湾曲した２つの親桁間を複数の子桁で連結した構造の水平ベンドラック（図示せず）を用いて、この水平ベンドラックの両端にそれぞれ直線ラック１、１を直線継ぎ金具で連結している。
【０００５】
そして、直線ラック１、１の上面には、図１０で示した直線状屋根形ラックカバー１０を取付け、水平ベンドラックの上面には、水平ベンドラックと同一に湾曲した水平ベンド屋根形カバー（図示せず）を取付けている。
この水平ベンドラック及び水平ベンド屋根形カバーには、３０°用、４５°用、６０°用の３タイプがある。
【０００６】
しかし、施工現場では、接続角度を３０°、４５°、６０°以外の角度にすることが必要な場合が多く、このような場合のために、任意の連結角度にできる水平自在継ぎ金具２０（図１１）を用いて、図１２に示すように２本の直線状ラック１、１を所望の角度に接続している。
【０００７】
即ち、水平自在継ぎ金具２０は、図１１に示すように、直線ラックの親桁の長手方向の端部に取付けるための２つの取付け板２１、２１を蝶番２２で回動自在に連結したものであって、図１２に示すように２つの直線ラック１、１の各親桁２の端部に、取付け板２１をボルト２３、ナット２４で固定して、所望の角度で曲がり接続している。
【０００８】
しかし、このように施工現場の状況に応じて任意角度で２本の直線状ラック１、１を接続する場合、前記した水平ベンド屋根形ラックカバーには３０°用、４５°用、６０°用の３タイプしかないので、図１０で示した直線状屋根形ラックカバー１０を図１３に示すように接続角度に合わせて切断した２つに２つの切断品１０ａ、１０ｂを作り、この２つの切断面１１ａ、１１ｂを図１３に示すようにつき合わせて２本の直線状ラック１、１の曲がり接続部の上面に取付けていた。
【発明の開示】
【発明が解決しようとする課題】
【０００９】
しかしながら、このような従来の方法では、
（イ）施工現場で直線状ラック１、１の接続角度に合わせて直線状屋根形ラックカバー１０を切断しなければならないため、大変煩雑で時間がかかっていた。
【００１０】
（ロ）また、直線状屋根形ラックカバー１０を正確な角度で切断した２つの切断品１０ａ、１０ｂを作ることは非常に難しく、２つの切断面１１ａ、１１ｂの合わせ目に隙間が空くため、切断をやり直す必要が頻繁に生じていた。
【００１１】
（ハ）また、中央が三角形に膨らんだ直線状屋根形ラックカバー１０を真っ直ぐに切断することは非常に難しく、凹凸しているのが普通であり、合わせ目に隙間が空いてしまうため、ヤスリで切断面１１ａ、１１ｂを真っ直ぐに均す作業が必要で、大変煩雑で時間がかかっていた。
【００１２】
（ニ）また、納期短縮のため、設計段階で２本の直線状ラック１、１の接続角度を図面上算出して、直線状屋根形ラックカバー１０を切断して切断品１０ａ、１０ｂを溶接したカバーを予め製作しても、施工現場での２本の直線状ラック１、１の接続作業において接続角度が微妙にずれることが多く、このようなずれが僅かでも生じると、せっかく予め製作しても使用できなくなることがしばしば発生していた。
【００１３】
本発明はこのような問題を解決し、接続角度に応じて直線状屋根形ラックカバーを切断して作成したり、切断面にヤスリをかけたりすることなく、また、予め製作したりすることなく、施工現場で任意の接続角度でも対応できるようにした曲がり接続部用ラックカバーを提供することを目的としている。
【課題を解決するための手段】
【００１４】
前記目的を達成するために本発明の請求項１の曲がり接続部用ラックカバーは、
第１、第２の水平板と、前記第１、第２の水平板の一辺に中間部が前記水平板より高くなった第１、第２の屋根形支持体とを有する第１、第２のカバー構成体から成り、前記第１、第２のカバー構成体が、前記第１、第２の水平板の前記屋根形支持体と反対側の辺の端部において回動自在に連結される第１、第２の連結部を備え、前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、一方の直線状ラックに直線状屋根形ラックカバーを前記第１のカバー構成体の前記第１の屋根形支持体に直線状屋根形ラックカバーの端部を支持させた状態で被せ、他方の直線状ラックに直線状屋根形ラックカバーを前記第２のカバー構成体の前記第２の屋根形支持体に直線状屋根形ラックカバーの端部を支持させた状態で被せるようにしたことを特徴としている。
【００１５】
また、本発明の請求項２の曲がり接続部用ラックカバーは、
第１、第２の水平板と、前記第１、第２の水平板の一辺に設けられた中間部が前記水平板より高くなった第１、第２の屋根形カバーとを有する第１、第２のカバー構成体から成り、前記第１、第２のカバー構成体が、前記第１、第２の水平板の前記屋根形カバーと反対側の辺の端部において回動自在に連結される第１、第２の連結部を備え、前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、一方の直線状ラックに直線状屋根形ラックカバーを前記第１のカバー構成体の前記第１の屋根形カバーの少なくとも一部に直線状屋根形ラックカバーの端部を重なり合わせた状態で被せ、他方の直線状ラックに直線状屋根形ラックカバーを前記第２のカバー構成体の前記第２の屋根形カバーの少なくとも一部に直線状屋根形ラックカバーの端部を重なり合わせた状態で被せるようにしたことを特徴としている。
【発明の効果】
【００１６】
本発明の請求項１の曲がり接続部用ラックカバーは、前記したように構成されているので、前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、一方の直線状ラックに直線状屋根形ラックカバーを前記第１のカバー構成体の前記第１の屋根形支持体に直線状屋根形ラックカバーの端部を支持させた状態で被せ、他方の直線状ラックに直線状屋根形ラックカバーを前記第２のカバー構成体の前記第２の屋根形支持体に直線状屋根形ラックカバーの端部を支持させた状態で被せればよいから、第１、第２の水平板の連結角度を合わせるだけで、２つの直線状ラックの接続角度が任意の角度であってもこれに対応することができる。
【００１７】
また、本発明の請求項２の曲がり接続部用ラックカバーは、前記したように構成されているので、前記第１の水平板が一方の直線状ラックの接続端部の上面に重なり、前記第２の水平板が他方の直線状ラックの接続端部の上面に重なるように、前記第１、第２のカバー構成体の前記第１、第２の水平板を前記連結部において第１の水平板に対して第２の水平板を回動させて、一方の直線状ラックに直線状屋根形ラックカバーを前記第１のカバー構成体の前記第１の屋根形カバーの少なくとも一部に直線状屋根形ラックカバーの端部を重なり合わせた状態で被せ、他方の直線状ラックに直線状屋根形ラックカバーを前記第２のカバー構成体の前記第２の屋根形カバーの少なくとも一部に直線状屋根形ラックカバーの端部を重なり合わせた状態で被せればよいから、第１、第２の水平板の連結角度を合わせるだけで、２つの直線状ラックの接続角度が任意の角度であってもこれに対応することができる。
【発明を実施するための最良の形態】
【００１８】
以下、図面に基づいて本発明の実施の形態を説明する。
図１は本発明の一実施形態を示している。
【００１９】
即ち、この実施形態の曲がり接続部用ラックカバー３０は第１、第２のカバー構成体４０ａ、４０ｂから成る。
第１、第２のカバー構成体４０ａ、４０ｂはそれぞれ直線状ラックの幅方向の少なくとも全長を覆う幅を有する長方形板状の第１、第２の水平板４１ａ、４１ｂを備えている。
【００２０】
第１、第２の水平板４１ａ、４１ｂの幅方向の両端の辺４１ａ′、４１ｂ′に直交する一辺に中間部が水平板４１ａ、４１ｂより高くなった第１、第２の屋根形支持体４２ａ、４２ｂを備えている。
第１、第２の屋根形支持体４２ａ、４２ｂは、中央が屋根形に次第に高くなった三角形板４３ａ、４３ｂを備えている。
【００２１】
三角形板４３ａ、４３ｂの上端には、直線状屋根形ラックカバー２０を乗せやすいように横方向外方へ折曲げられた縁板４４ａ、４４ｂが設けられている。
なお、この縁板４４ａ、４４ｂは図２に示すように設けなくてもよい。
【００２２】
第１、第２の水平板４１ａ、４１ｂの屋根形支持体４２ａ、４２ｂと反対側の辺の幅方向の端部には、互いに回動自在に連結するための穴（第１、第２の連結部）４６ａ、４６ｂが設けられている。
なお、穴４６ａ、４６ｂを両端でなく一端のみに設けた場合には、図３に示すように一方のカバー構成体（例えば第２のカバー構成体４０ａ）の水平板４１ａは、斜めにカットした形状でもよい。
【００２３】
図４、図１２に示すように、両側を水平自在継ぎ金具２０、２０で２つの直線状ラック１、１の親桁２、２の端部同士を、例えば、幅方向の奥側（図４において左側）が外方へ突出するように、所望の角度で接続した場合、図１に示すように第１、第２のカバー構成体４０ａ、４０ｂの第１、第２の水平板４１ａ、４１ｂの曲がり外側の穴（第１、第２の連結部）４６ａ、４６ｂに下側からボルト５０を挿通させ、上側からナット５１を螺着してこの接続角度に合わせて、第１の水平板４１ａと第２の水平板４１ｂを相対的に回動させてナット５１を締付けて固定して、図４に示すように、第１の水平板４１ａが一方の直線状ラック１の接続端部の上面に重なり、第２の水平板４１ｂが他方の直線状ラック１の接続端部の上面に重なるように被せる。
【００２４】
この状態で、図４、図５に示すように一方の直線状ラック１に直線状屋根形ラックカバー１０の端部より内側を第１のカバー構成体４０ａの第１の屋根形支持体４２ａにオーバーラップするように被せて、図６に示すように直線状ラック１の親桁２の下端部に屋根形カバー止め金具１１の下端係止部１１ａを係止し、直線状屋根形ラックカバー１０の幅方向の両端部の取付け穴１０ａ、１０ａに上方から挿通したボルト１２を屋根形カバー止め金具１１の上端取付け片１１ｂのネジ穴１１ｃに螺着し、締付けて、親桁２の上端部と直線状屋根形ラックカバー１０との間に第１のカバー構成体４０ａの平板部４１ａ及び屋根形支持体４２ａとを挟圧することによって、直線状屋根形ラックカバー１０を直線状ラック１の上面に固定する。
【００２５】
全く同様に、他方の直線状ラック１に直線状屋根形ラックカバーを第２のカバー構成体４０ｂの第２の屋根形支持体４２ｂに直線状屋根形ラックカバー１０の端部の内側を被せて、直線状ラック１の上面に直線状屋根形ラックカバー１０をボルト１２と屋根形カバー止め金具１１によって取付ける。
【００２６】
このようにして、２つの直線状ラック１、１の曲がり接続部分に第１、第２の平板部４１ａ、４１ｂを乗せて、直線状屋根形カバー１０、１０をその両側に取付けることによって２つのラック１、１の曲がり接続部分がカバーされる。
【００２７】
このようにすれば、直線状屋根形カバー１０を接続角度に合わせて切断するような煩雑な作業が不要となる。
【００２８】
図７は本発明の他の実施形態を示している。
この実施形態の曲がり接続部用ラックカバー５５は、第１、第２のカバー構成体６０ａ、６０ｂを備えている。
【００２９】
第１、第２のカバー構成体６０ａ、６０ｂは第１、第２の水平板６１ａ、６１ｂを備え、この第１、第２の水平板６１ａ、６１ｂの幅方向に直交する方向の一辺には、垂直に中央が高くなった三角形板部６２ａ、６２ｂが設けられている。
【００３０】
この三角形板部６２ａ、６２ｂに、中間部が水平板６１ａ、６１ｂより高くなった第１、第２の屋根形カバー６３ａ、６３ｂが連設されている。
【００３１】
第１、第２の水平板６１ａ、６１ｂの屋根形カバー６３ａ、６３ｂと反対側の辺の幅方向の端部には、互いに回動自在に連結するための穴（第１、第２の連結部）６４ａ、６４ｂが設けられている。
【００３２】
なお、穴６４ａを両端でなく一端のみに設けた場合には、図８に示すように一方のカバー構成体（例えば第２のカバー構成体６０ａ）の水平板６１ａは、斜めにカットした形状でもよい。
【００３３】
この図７の実施形態の曲がり接続部用ラックカバー５５を用いる場合も、図５の場合と同様に、図７、図９に示すように第１、第２のカバー構成体６０ａ、６０ｂの第１、第２の水平板６１ａ、６１ｂの曲がり外側の穴（第１、第２の連結部）６４ａ、６４ｂに下側からボルト５０を挿通させ、上側からナット５１を螺着して２つの直線状ラック（図示せず）の接続角度に合わせて、第１の水平板６１ａと第２の水平板６１ｂを相対的に回動させてナット５１を締付けて固定して、図５の場合と同様に、第１の水平板６１ａが一方の直線状ラックの接続端部の上面に重なり、第２の水平板６１ｂが他方の直線状ラックの接続端部の上面に重なるように被せる。
【００３４】
図９に示すように直線状屋根形ラックカバー１０の幅より第１、第２の屋根形カバー６３ａ、６３ｂの幅の方が大きい場合には、直線状屋根形ラックカバー１０の端部に第１、第２の屋根形カバー６３ａ、６３ｂの端部を上から被せる。幅が逆の場合には、第１、第２の屋根形カバー６３ａ、６３ｂの端部に直線状屋根形ラックカバー１０の端部を上から被せる。
【００３５】
図６と同様に直線状ラック１の親桁２の下端部に屋根形カバー止め金具１１の下端係止部１１ａを係止し、第１、第２の屋根形カバー６３ａ、６３ｂの幅方向の両端部の取付け穴６３ｃ、６３ｃに上方から挿通したボルト１２を屋根形カバー止め金具１１の上端取付け片１１ｂのネジ穴１１ｃに螺着し締付けて固定する。直線状屋根形ラックカバー１０も同様に幅方向の両端部の取付け穴１０ａ、１０ａに上方から挿通したボルト１２を屋根形カバー止め金具１１の上端取付け片１１ｂのネジ穴１１ｃに螺着し締付けて固定する。
【００３６】
このようにすれば、直線状屋根形カバー１０を接続角度に合わせて切断するような煩雑な作業が不要となる。
【００３７】
なお、第１、第２の屋根形カバー６３ａ、６３ｂの端部に直線状屋根形ラックカバー１０の端部を上から被せる場合には、第１、第２の屋根形カバー６３ａ、６３ｂのボルト１２と屋根形カバー止め金具１１による固定を省略することもできる。
【００３８】
なお、図４、図９では２つの直線状ラック１、１を幅方向の奥側（図４、図１２において左側）が外方へ突出するように接続した場合を例示したが、逆に幅方向の手前側（図４、図１２において右側）が外方へ突出するように接続した場合には、第１、第２の水平板４１ａ、４１ｂ、第１、第２の水平板６１ａ、６１ｂの曲がり外側の穴（第１、第２の連結部）４６ａ、４６ｂ、６４ａ、６４ｂに下側からボルト５０を挿通させ、上側からナット５１を螺着しての曲がり外側の穴（第１、第２の連結部）４６ａ、４６ｂに下側からボルト５０を挿通させ、上側からナット５１を螺着してこの接続角度に合わせて、第１の水平板４１ａと第２の水平板４１ｂを相対的に回動して連結すればよい。
【図面の簡単な説明】
【００３９】
【図１】本発明の一実施形態を示す斜視図
【図２】本発明の他の実施形態を示す斜視図
【図３】本発明の一実施形態を示す斜視図
【図４】図１の実施形態の使用状態を示す斜視図
【図５】図１の実施形態の使用状態を示す斜視図
【図６】図１の実施形態の使用状態を示す断面図
【図７】本発明の他の実施形態を示す斜視図
【図８】本発明の他の実施形態を示す斜視図
【図９】図７の実施形態の使用状態を示す斜視図
【図１０】直線状ラックと直線状屋根形ラックカバーを示す斜視図
【図１１】水平自在継ぎ金具を示す斜視図
【図１２】水平自在継ぎ金具を用いて２本の直線状ラック１、１を曲がり接続した状態を示す平面図
【図１３】直線状屋根形ラックカバーを切断し突き合わせた状態を示す平面図
【符号の説明】
【００４０】
３３            曲がり接続部用ラックカバー
４０ａ、４０ｂ  第１、第２のカバー構成体
４１ａ、４１ｂ  第１、第２の水平板
４２ａ、４２ｂ  第１、第２の屋根形支持体
４３ａ、４３ｂ  三角形板
４６ａ，４６ｂ  穴（第１、第２の連結部）
５５            曲がり接続部用ラックカバー
６０ａ、６０ｂ  第１、第２のカバー構成体
６１ａ、６１ｂ  第１、第２の水平板
６３ａ、６３ｂ  第１、第２の屋根形カバー
６４ａ、６４ｂ  曲がり外側の穴（第１、第２の連結部）
【図１】
2007205558.tif 000003
【図２】
2007205558.tif 000004
【図３】
2007205558.tif 000005
【図４】
2007205558.tif 000006
【図５】
2007205558.tif 000007
【図６】
2007205558.tif 000008
【図７】
2007205558.tif 000009
【図８】
2007205558.tif 000010
【図９】
2007205558.tif 000011
【図１０】
2007205558.tif 000012
【図１１】
2007205558.tif 000013
【図１２】
2007205558.tif 000014
【図１３】
2007205558.tif 000015